(57)【要約】      （修正有）【課題】基板の回路を変更する場合、レジストを削るときの作業を正確且つ簡単にでき、レジストを一定範囲で一定の深さまで削られてチップ部品等をパターンに取り付けやすい。【解決手段】回転刃が研磨用回転刃４からなり、研磨用回転刃の上端は、筒状体１Ａ、１Ｂの内部に配置されたモータ２の軸３に螺合されて交換可能とされ、筒状体１Ｂの下端に鍔状部６が設けられ、鍔状部の下面から研磨用回転刃の先端が所定寸法突出され、モータの表面に形成された樹脂部７と筒状体は螺合されていて、筒状体を回転させて上下移動させることによって研磨用回転刃の先端と鍔状部との間隔が調整可能とされ、モータは筒状体の上部に突出するトグルスイッチ５でＯＮ・ＯＦＦされるように構成され、モータの軸の回動で研磨用回転刃は回動され、鍔状部が基板の表面のレジストの表面に当接し、研磨用回転刃の先端部で基板８の表面のレジスト１０を、パターン９を切断せずに削る。【選択図】図１
0003127068.tif 000002
【実用新案登録請求の範囲】
【請求項１】
下部に回転刃を有し、基板の表面のパターンの上側に形成されたレジストを前記回転刃の先端で前記パターンを切断することなく削るようにした電動ドリルであって、前記回転刃が研磨用回転刃からなり、この研磨用回転刃の上端は、筒状体の内部に配置されたモータの軸に螺合されて交換可能とされ、更に、前記筒状体の下端に鍔状部が設けられ、この鍔状部の下面から前記研磨用回転刃の先端が所定寸法突出され、前記モータの表面に形成された樹脂部と前記筒状体は螺合されていて、前記筒状体を回転させて上下移動させることによって前記研磨用回転刃の先端と前記鍔状部との間隔が調整可能とされ、前記モータは前記筒状体の上部に突出するトグルスイッチでＯＮ・ＯＦＦされるように構成され、前記モータの軸の回動で前記研磨用回転刃は回動され、前記鍔状部が前記基板の表面のレジストの表面に当接することによって、前記研磨用回転刃の先端部で前記基板の表面の前記レジストを、前記パターンを切断することなく削るようにしたことを特徴とする電動ドリル。
【請求項２】
下部に回転刃を有し、基板の表面のパターンの上側に形成されたレジストを前記回転刃の先端で前記パターンを切断することなく削るようにした電動ドリルであって、前記回転刃の上端は、筒状体の内部に配置されたモータの軸に対して取り付け取り外し可能に取り付けられて交換可能とされ、更に、前記筒状部の下端に鍔状部が設けられ、この鍔状部の下面から前記回転刃の先端が所定寸法突出され、前記モータは前記筒状体の上部に突出するトグルスイッチでＯＮ・ＯＦＦされるように構成され、前記モータの軸の回動で前記回転刃は回動され、前記鍔状部が前記基板の表面のレジストの表面に当接することによって、前記回転刃の先端で前記基板の表面の前記レジストを、前記パターンを切断することなく削るようにしたことを特徴とする電動ドリル。
【請求項３】
前記回転刃の先端は鋭角形状に形成されている請求項２に記載の電動ドリル。
【請求項４】
前記回転刃の先端は、平面状下面の中心部に若干突出した小研磨刃に形成されている請求項２に記載の電動ドリル。
【考案の詳細な説明】
【技術分野】
【０００１】
本考案は、下部に回転刃を有し、基板の表面のパターンの上側に形成されたレジストを前記回転刃の先端で前記パターンを切断することなく削るようにした電動ドリルに関するものである。
【背景技術】
【０００２】
従来、基板の表面のレジストをカッターナイフを使用して削ってパターンを露出し、このパターンにチップ部品等を接続していた。ところが、レジストをカッターナイフで切断していたために、基板の表面でカッターナイフの刃が滑って不要な箇所まで削ってしまう場合があり、作業自体が危険であるという問題があった。また、見た目では、レジストが削れているように見えてもパターンに半田が乗らずに再度削りなおさなくてはならない場合があるという問題があった。
【０００３】
第１の従来技術を図４に示す。この従来の回路パターンカッター装置は、図４に示すように、回路パターン１０２の片端に当接する接触子１０５と、回路パターン１０２上のもう一方の接触子としての機能を持つ刃１０４ａを有すると共に回路パターン１０２を切断するためのカッター１０４と、片端に接触する接触子１０５とカッター１０４間の回路パターン１０２の抵抗値を検出するための抵抗値検出部１０６と、抵抗値検出部１０６によって検出された抵抗値に応じてカッター１０４を作動させる自動設定部１０７とを備え、また自動設定部１０７内にある動作速度設定器１０７ａによって、抵抗値検出部１０６によって検出された抵抗値の大きさに応じてカッター１０４の動作速度が設定される。（例えば、特許文献１参照）。
【０００４】
ところが、これは、回路パターン１０２を切断するだけであり、レジストを削るものではなかった。
【特許文献１】特開平４−２６９８９０号公報
【考案の開示】
【考案が解決しようとする課題】
【０００５】
本考案は、上記従来の問題に鑑みてなされたものであって、基板の回路を変更したい場合に、表面層であるレジストを削らなくてはなくてはならないときの作業を正確且つ簡単にでき、更に、レジストを一定範囲で、一定の深さまで削ることができてチップ部品等をパターンに取り付けやすくできる電動ドリルを提供することを目的としている。
【課題を解決するための手段】
【０００６】
本考案は、上記課題を解決するために提案されたものであって、請求項１に記載の考案は、下部に回転刃を有し、基板の表面のパターンの上側に形成されたレジストを前記回転刃の先端で前記パターンを切断することなく削るようにした電動ドリルであって、前記回転刃が研磨用回転刃からなり、この研磨用回転刃の上端は、筒状体の内部に配置されたモータの軸に螺合されて交換可能とされ、更に、前記筒状体の下端に鍔状部が設けられ、この鍔状部の下面から前記研磨用回転刃の先端が所定寸法突出され、前記モータの表面に形成された樹脂部と前記筒状体は螺合されていて、前記筒状体を回転させて上下移動させることによって前記研磨用回転刃の先端と前記鍔状部との間隔が調整可能とされ、前記モータは前記筒状体の上部に突出するトグルスイッチでＯＮ・ＯＦＦされるように構成され、前記モータの軸の回動で前記研磨用回転刃は回動され、前記鍔状部が前記基板の表面のレジストの表面に当接することによって、前記研磨用回転刃の先端部で前記基板の表面の前記レジストを、前記パターンを切断することなく削るようにしたことを特徴としている。
【０００７】
請求項２に記載の考案は、下部に回転刃を有し、基板の表面のパターンの上側に形成されたレジストを前記回転刃の先端で前記パターンを切断することなく削るようにした電動ドリルであって、前記回転刃の上端は、筒状体の内部に配置されたモータの軸に対して取り付け取り外し可能に取り付けられて交換可能とされ、更に、前記筒状部の下端に鍔状部が設けられ、この鍔状部の下面から前記回転刃の先端が所定寸法突出され、前記モータは前記筒状体の上部に突出するトグルスイッチでＯＮ・ＯＦＦされるように構成され、前記モータの軸の回動で前記回転刃は回動され、前記鍔状部が前記基板の表面のレジストの表面に当接することによって、前記回転刃の先端で前記基板の表面の前記レジストを、前記パターンを切断することなく削るようにしたことを特徴としている。
【０００８】
請求項３に記載の考案は、請求項２に記載の考案において、前記回転刃の先端は鋭角形状に形成されているものである。
【０００９】
請求項４に記載の考案は、請求項２に記載の考案において、前記回転刃の先端は、平面状下面の中心部に若干突出した小研磨刃に形成されているものである。
【考案の効果】
【００１０】
請求項１に記載の考案によれば、トグルスイッチをＯＮすることによってモータを駆動して軸を回動することにより、この軸に螺合された研磨用回転刃が回転し、この研磨用回転刃の下端で基板の表面のレジストが削られる。このとき、研磨用回転刃の下端は、筒状体の下端の鍔状部から所定寸法突出されているから、レジストが削られると筒状体の鍔状部がレジストの表面に当接してレジストだけが削られてレジストの下側のパターンが切断されることがない。従って、基板の回路を変更した場合に、レジストを一定範囲で一定の深さまで削ることができ、チップ部品等をパターンに取り付けやすくすることができる。このことによって、レジストを削らなくてはならないときの作業を正確且つ簡単に行なうことができる。また、筒状体を回転させて上下移動させることによって研磨用回転刃の先端と筒状体の鍔状部との間隔を調整することができるので、レジストの厚さ間隔に容易に合わせることができる。更に、トグルスイッチを用いたので、スイッチのＯＮ・ＯＦＦ操作を容易に行なうことができる。また、研磨用回転刃を用いたから、レジストを容易に削ることができ、基板の他の部分を傷つけることなくレジストを削ることができる。更に、研磨用回転刃の上端がモータの軸に螺合されているから、研磨用回転刃を用途によって容易に交換してレジストを削ったり、研磨用回転刃の下端が磨耗したときには、新たな研磨用回転刃と交換して使用することができる。
【００１１】
請求項２に記載の考案によれば、トグルスイッチをＯＮすることによってモータを駆動して軸を回動し、この軸に取り付けられた回転刃が回転し、回転刃の下端で基板の表面のレジストが削られる。このとき、回転刃の下端は、筒状体の下端の鍔状部の下面から所定寸法突出されているから、基板の表面に鍔状部の下面が当接して基板のレジストだけをこの回転刃の下端で削ることができる。このレジストだけを削ることができることによって、レジストの下側のパターンを切断することがない。従って、基板の回路を変更した場合に、レジストを一定範囲で一定の深さまで削ることができ、チップ部品等をパターンに取り付けやすくすることができる。このことによって、レジストを削らなくてはならないときの作業を正確且つ簡単に行なうことができる。
【００１２】
請求項３に記載の考案によれば、回転刃の先端が鋭角形状に形成されているから、基板の表面のレジストを削りやすい利点があると共に、基板の表面のレジストに鋭角な穴を開けることが必要な場合には、容易にこの鋭角な穴を形成することができる。
【００１３】
請求項４に記載の考案によれば、回転刃の先端が平面状下面の中心部に若干突出した小研磨刃に形成されているから、基板の表面のレジストに小さな穴を形成する必要がある場合には、基板の表面のレジストをこの小研磨刃で削ってレジストに小さな穴を形成することができる。
【考案を実施するための最良の形態】
【００１４】
以下、本考案に係る電動ドリルの実施の形態について、図を参照しつつ説明する。
【００１５】
図１は本考案の電動ドリルを示し、（ａ）はその斜視図、（ｂ）はその筒状体と研磨用回転刃の下側から見た部分斜視図、（ｃ）はその筒状体に対してモータが螺合し、研磨用回転刃がモータの軸に交換可能に螺合されている状態を示す拡大部分断面図、（ｄ）はその研磨用回転刃で基板のレジストを削っている状態を示す断面図である。
【００１６】
本実施形態の電動ドリルは、図１（ａ）（ｂ）（ｃ）に示すように、上下に分割された筒状体１Ａ、１Ｂの内部にモータ２が内蔵され、このモータ２の軸３に研磨用回転刃４が交換可能に螺合されている。上側の筒状体１Ａ内にはモータ２をＯＮ・ＯＦＦするモーメンタリのトグルスイッチ５が上下移動可能に配設され、下側の筒状体１Ｂの下端には鍔状部６が設けられている。この鍔状部６と研磨用回転刃４の先端が所定寸法突出され、モータ２の表面に形成された樹脂部７と筒状体１Ａ、１Ｂとは螺合されていて、下側の筒状体１Ｂを回転させて下側の筒状体１Ｂを上下移動させることによって、研磨用回転刃４の先端と鍔状部６との間隔が調整可能とされている。図１（ｃ）に示すように、モータ２の駆動によって軸３を介して研磨用回転刃４が回転され、基板８の表面のパターン９の上側の表面層であるレジスト１０がこの研磨用回転刃４で削られる。このとき、研磨用回転刃４でレジスト１０を削ると筒状体１Ｂの鍔状部６の下面がレジスト１０の表面に当接してレジスト１０だけが削られてパターン９が切断されることがない。
【００１７】
従って、本実施形態によれば、基板８の回路を変更した場合に、レジスト１０を一定範囲で一定の深さまで削ることができ、チップ部品等をパターン９に取り付けやすくすることができる。このことによって、レジスト１０を削らなくてはならないときの作業を正確且つ簡単に行なうことができる。また、下側の筒状体１Ｂを回転させて上下移動させることによって研磨用回転刃４の先端と筒状体１Ｂの鍔状部６との間隔を調整することができるので、レジスト１０の厚さ間隔に容易に合わせることができる。更に、トグルスイッチ５を用いたので、スイッチのＯＮ・ＯＦＦ操作を容易に行なうことができる。また、研磨用回転刃４を用いたから、レジスト１０を容易に削ることができ、基板８の他の部分を傷つけることなくレジスト１０を削ることができる。更に、研磨用回転刃４の上端がモータ２の軸３に螺合されているから、研磨用回転刃４を用途によって容易に交換してレジスト１０を削ったり、研磨用回転刃４の下端が磨耗したときには、新たな研磨用回転刃４と交換して使用することができる。
【００１８】
図２は別例の回転刃が筒状体内に配設されている状態を示す部分斜視図である。
【００１９】
この別例の回転刃は、図２に示すように、回転刃４Ａの先端が鋭角形状に形成され、この回転刃４Ａが下側の筒状体１Ｂ内に配設されている。筒状体１Ｂの鍔状部６と鋭角形状の回転刃４Ａの先端との間が所定寸法離れている。従って、回転刃４Ａの先端が鋭角形状に形成されているから、基板８の表面のレジスト１０を削りやすい利点があると共に、基板８の表面のレジスト１０に鋭角な穴を開けることが必要な場合には、容易にこの鋭角な穴を形成することができる。
【００２０】
図３は更に別例の回転刃が筒状体内に配設されている状態を示す部分斜視図である。
【００２１】
この更に別例の回転刃は、図３に示すように、回転刃４Ｂの先端が、平面状下面４ａの中心部に若干突出した小研磨刃４ｂに形成されている。従って、基板８の表面のレジスト１０に小さな穴を形成する必要がある場合には、基板８の表面のレジスト１０をこの小研磨刃４ｂで削ってレジスト１０に小さな穴を形成することができる。
【図面の簡単な説明】
【００２２】
【図１】本考案の電動ドリルを示し、（ａ）はその斜視図、（ｂ）はその筒状体と研磨用回転刃の下側から見た部分斜視図、（ｃ）はその筒状体に対してモータが螺合し、研磨用回転刃がモータの軸に交換可能に螺合されている状態を示す拡大部分断面図、（ｄ）はその研磨用回転刃で基板のレジストを削っている状態を示す断面図である。
【図２】別例の回転刃が筒状体内に配設されている状態を示す部分斜視図である。
【図３】更に別例の回転刃が筒状体内に配設されている状態を示す部分斜視図である。
【図４】従来の回路パターンカッター装置を示す構成図である。
【符号の説明】
【００２３】
１Ａ      上側の筒状体
１Ｂ      下側の筒状体
２        モータ
３        軸
４        研磨用回転刃
４Ａ      回転刃
４Ｂ      回転刃
４ａ      平面状下面
４ｂ      小研磨刃
５        トグルスイッチ
６        鍔状部
７        樹脂部
８        基板
９        パターン
１０      レジスト
【図１】
0003127068.tif 000003
【図２】
0003127068.tif 000004
【図３】
0003127068.tif 000005
【図４】
0003127068.tif 000006